(57)【要約】【課題】従来、歯科用の超音波ハンドピースは、振動子及びホーンの振動が外側のケースに洩れ、ケースを把持する手指において熱感に変換され、施療に支障をきたす恐れがあった。本発明は、ケースへの振動の漏洩及び温度上昇を軽減した超音波ハンドピースを提供する。【解決手段】チップと超音波振動子及びホーンの周辺に冷却水通路を配設し、また振動子を含むホーンの長さを、ホーンの中央部付近に嵌合を有する固定部が節となり両端が腹となるように決定して歯科用ハンドピースのケース内に収納し、前記節を的確に固定させ、振動子及びホーンとフランジを貫通する冷却水を配分して、振動子及びホーンと、前記固定部と、チップを効率よく冷却する。【選択図】図２
2005095243.tif 000002
【特許請求の範囲】
【請求項１】
歯科治療用の超音波ハンドピースであって、
チップと超音波振動子及びホーンと、振動子及びホーンの周辺に配分して設けられた冷却水通路とからなり、
振動子を含むホーンは、その長さを、ホーンの中央部付近に凹凸の嵌合を有する固定部が節となり、両端が腹となるように決定して、歯科用ハンドピースのケース内に収納され、前記ホーン及びケースに配設された嵌合による固定部により、振動子を含むホーンの節を的確に固定させてなり、
振動子及びホーンと、ホーンの前記固定部と、先端のチップを効率よく冷却することを特徴とする歯科用超音波ハンドピース。
【請求項２】
チップと、該チップとの螺合部を先端部に有し順次太径となってその後部は円柱部をなし、該円柱の後端面に螺合用の浅いネジ孔を有する前部ホーンと、
前記ネジ孔に螺合する長いネジ棒を先端部に有し、その後は円柱状をなす後部ホーンと、
前記、螺合された前部ホーン及び後部ホーンの径の中心部を前後に貫通する冷却水通路と、
また、ネジ部で前後部のホーンが螺合する際に生ずる所定間隔内に挟着されたリング状の振動子及び幅が狭小なリング状のフランジをホーンの中央部近辺にリング状に突設させてなり、
そして、フランジのリングの外周部の上部は、前記後部ホーンの外周が所用空隙を有するように覆設された有底円筒状固定具の開放端に固設され、
リングの内径の部分が振動子を含むホーンの超音波振動の節の当該点を的確に固定するように配設されてなり、
さらに、前記有底円筒状固定具の所要空隙は、前記冷却水通路の冷却水貯留部に開放されて一体となり、その後端の冷却水チューブ嵌合部を介して外部冷却水導入チューブに接続され、
また、前記振動子及びホーンと冷却水通路部を覆いかつ、ハンドピースの把持部である先細で後端部に外部接続用コネクタ部を有した円筒状をなすケースを備えてなり、
そして、前記固定具の外周は、前記ケースの中央部の内周に嵌着され、
前記コネクタ部は、チューブを介し外部からの冷却水の導入、及び振動子への電源供給用の２本の配線を接続するための一対のコネクタを有し、
前記配線はケースの凹設溝を通して、振動子に接続されてなることを特徴とする請求項１に記載の歯科用超音波ハンドピース。
【請求項３】
チップと、該チップとの螺合部を先端部に有し順次太径となってその後部は円柱部をなし、該円柱の後端面に螺合用の浅いネジ孔を有する前部ホーンと、
前記ネジ孔に螺合する長いネジ棒を先端部に有し、その後は円柱状をなす後部ホーンと、
螺合された前後部ホーンの径の中心部が先端からフランジの位置まで貫通された冷却水通路と、
前記前後部のホーンが螺合する際に生ずる所定間隔内に挟着されたリング状の振動子と、
また、前記振動子を含むホーンの節となる箇所に設けられたホーン中央部近辺に突設された前後２枚のフランジと、
該フランジ間の空隙には冷却水が満たされると共に、空隙の周縁部の一隅には外部から導入される冷却水チューブの嵌合部が設けられてなり、
さらに、前記２枚のフランジはその端縁部がリング状の固定具により固定され、
また、前記フランジ間には前記振動子及びフランジの半径方向に貫通孔が配設され、前記冷却水通路に接続されてなり、
そして、前記振動子及びホーンと、冷却水通路部を覆い、かつハンドピースの把持部である先細で後端部に外部接続用コネクタ部を有した円筒状をなすケースを備え、また、前記２枚のフランジの端縁部を固定するリング状の固定具の外周部は、前記ケースの中央部の内周に嵌着され、
さらに、前記コネクタ部は、チューブを介し外部からの冷却水の導入管及び振動子への電源供給用の２本の配線を接続するための一対のコネクタを有し、
前記配線はケースの凹設溝を通して、振動子に接続されてなることを特徴とする請求項１に記載の歯科用超音波ハンドピース。
【請求項４】
チップと、該チップとの螺合部を先端部に有し順次太径となってその後部は円柱部をなし、該円柱の後端面に螺合用の長いネジ棒を有する前部ホーンと、
前記ネジ孔に螺合する浅いネジ孔を有し、その後ろは円柱状をなす後部ホーンと、
螺合された前後部ホーンの径の中心部が先端からフランジの位置まで貫通された冷却水通路と、
前記前後部のホーンが螺合する際に生ずる所定間隔内に挟着されたリング状の振動子と、
また、前記振動子を含むホーンの節となる箇所に設けられ、ドーナツ状の円盤の外周部が左右対称の扇形に残るように切り込みが入ったフランジを備え、
該フランジの扇形の外周部の上面はケースの内側に直接固設され、
また、前記扇形のフランジの表裏両面に外側冷却水管を密着するようにしてなり、
前記外側冷却水管の配設は、まず片側の扇形フランジ表側の真ん中の曲線に沿って形成し、扇の直線端において反対面に折り曲げて、同様に扇形フランジ裏側の真ん中の曲線に沿って形成し、一方の端面を軸の内側に径の中心方向に折り曲げて、前記貫通されている冷却水通路に接続するようにしてなり、
また、前記冷却水管の他の端面は軸方向と平行に後部側に折り曲げて、外部からの冷却水チューブに接続するように配設し、
そして対称形をなす他の片側の扇形フランジにも、上記と同様に外部冷却水管を貫通する冷却水通路への接続、及び他の外部からの冷却水チューブに接続するよう配設してなり、
また、前記振動子及びホーンと冷却水通路部を覆い、かつハンドピースの把持部である先細で後端部に外部接続用コネクタ部を有した円筒状をなすケースを備えてなり、
そして、前記固定具の外周は、前記ケースの中央部の内周に嵌着され、
さらに、前記２本の外部からの冷却水チューブより導入される冷却水は、前記フランジを冷却した後、振動子及びホーンを冷却して、最後にチップに霧水を供給し、
また、前記コネクタ部はチューブを介し外部からの冷却水の導入管及び振動子への電源供給用の２本の配線を接続するための一対のコネクタを有し、
前記配線はケースの凹設溝を通して、振動子に接続されてなることを特徴とする請求項１に記載の歯科用超音波ハンドピース。
【請求項５】
チップと、該チップとの螺合部を先端部に有し順次太径となってその後部は円柱部をなし、該円柱の後端面に螺合用の長いネジ棒を有する前部ホーンと、
前記ネジ孔に螺合する浅いネジ穴を先端部に有し、その後ろは円柱状をなす後部ホーンと、
螺合された前後部ホーンの径の中心部が先端から前記節の位置まで貫通された冷却水通路と、
前記前後部のホーンが螺合する際に生ずる所定間隔内に挟着されたリング状の振動子と、
また、前記振動子を含むホーンの節となる箇所に位置するホーンの外周に密着し、かつ一巻きする形状に設けられた外側冷却水管が配設され、
上記形状の冷却水管の一方の端面は、軸の内側に径の中心方向に折り曲げて、前記貫通されている冷却水通路に接続され、
また、前記冷却水管の他の端面は軸方向と平行に後部側に折り曲げて、外部からの冷却水チューブに接続するように配設してなり、
また、前記振動子及びホーンと冷却水通路部を覆い、かつハンドピースの把持部である先細で後端部に外部接続用コネクタ部を有した円筒状をなすケースを備え、そして、前記外側冷却水管の外周は、前記ケースの中央部の内周に嵌着されてなり、前記ホーンの節は外側冷却水管により的確に固定され、
さらに、前記外部からの冷却水チューブより導入される冷却水は、前記振動子及びホーンを冷却して、最後にチップに霧水を供給し、
また、前記コネクタ部はチューブを介し外部からの冷却水の導入管及び振動子への電源供給用の２本の配線を接続するための一対のコネクタを有し、
前記配線はケースの凹設溝を通して、振動子に接続されてなることを特徴とする請求項１に記載の歯科用超音波ハンドピース。
【発明の詳細な説明】
【技術分野】
【０００１】
本発明は、把持ケースへの振動の漏洩及び温度上昇を軽減した歯科治療用超音波ハンドピースに関する。
【背景技術】
【０００２】
従来歯科用の超音波ハンドピースは、振動子及びホーンの振動が外側のケースに洩れ、その前部を把持する手指において熱感に変換され、施療に支障をきたす恐れがあった。
また、一般的な超音波加工機においては、加工作業中の超音波漏洩による発熱を軽減する改善策として例えば、特開２００３−１４５３９５号公報が開示されている。また、外科等で用いる超音波手術器の冷却については、例えば、特開２００１−３２１３８７号公報が開示されている。
【特許文献１】特開２００３−１４５３９５号公報
【特許文献２】特開２００１−３２１３８７号公報
【発明の開示】
【発明が解決しようとする課題】
【０００３】
歯科用超音波ハンドピースは、歯内療法（歯髄疾患、根尖性歯周疾患に対する治療）や、スケーリング（歯石の除去）等に使用されるが、
例えば、超音波スケーラの場合は、その対象が削除を要する歯石であるため、
超音波振動による槌打、剥離を行うが、ハンドピース内の通水や、特殊な形状及び・材質を有するチップに注水を行って、その先端では超音波により生ずるキャビテーション（真空泡沫現象）により前記歯石を粉砕し流失させる。
そして、口腔内で使用するため熟練した操作を必要とし、さらに施療中手指に熱感が伝わる場合は作業を一時中止して冷却を待っていた。
従って、熱発生の防止及び冷却水による冷却効果は必ずしも適切ではなかった。
【課題を解決するための手段】
【０００４】
上記に鑑み本発明者等は、鋭意実験研究の結果次の手段によりこれらの課題を解決した。
（１）歯科治療用の超音波ハンドピースであって、チップと超音波振動子及びホーンと、振動子及びホーンの周辺に配分して設けられた冷却水通路とからなり、振動子を含むホーンは、その長さを、ホーンの中央部付近に凹凸の嵌合を有する固定部が節となり、両端が腹となるように決定して、歯科用ハンドピースのケース内に収納され、前記ホーン及びケースに配設された嵌合による固定部により、振動子を含むホーンの節を的確に固定させてなり、振動子及びホーンと、ホーンの前記固定部と、先端のチップを効率よく冷却することを特徴とする歯科用超音波ハンドピース。
【０００５】
（２）チップと、該チップとの螺合部を先端部に有し順次太径となってその後部は円柱部をなし、該円柱の後端面に螺合用の浅いネジ孔を有する前部ホーンと、
前記ネジ孔に螺合する長いネジ棒を先端部に有し、その後は円柱状をなす後部ホーンと、前記、螺合された前部ホーン及び後部ホーンの径の中心部を前後に貫通する冷却水通路と、また、ネジ部で前後部のホーンが螺合する際に生ずる所定間隔内に挟着されたリング状の振動子及び幅が狭小なリング状のフランジをホーンの中央部近辺にリング状に突設させてなり、そして、フランジのリングの外周部の上部は、前記後部ホーンの外周が所用空隙を有するように覆設された有底円筒状固定具の開放端に固設され、リングの内径の部分が振動子を含むホーンの超音波振動の節の当該点を的確に固定するように配設されてなり、さらに、前記有底円筒状固定具の所要空隙は、前記冷却水通路の冷却水貯留部に開放されて一体となり、その後端の冷却水チューブ嵌合部を介して外部冷却水導入チューブに接続され、また、前記振動子及びホーンと冷却水通路部を覆い、かつハンドピースの把持部である先細で後端部に外部接続用コネクタ部を有した円筒状をなすケースを備えてなり、そして、前記固定具の外周は、前記ケースの中央部の内周に嵌着され、前記コネクタ部は、チューブを介し外部からの冷却水の導入、及び振動子への電源供給用の２本の配線を接続するための一対のコネクタを有し、前記配線はケースの凹設溝を通して、振動子に接続されてなることを特徴とする前項（１）に記載の歯科用超音波ハンドピース。
【０００６】
（３）チップと、該チップとの螺合部を先端部に有し順次太径となってその後部は円柱部をなし、該円柱の後端面に螺合用の浅いネジ孔を有するホーンと、前記ネジ孔に螺合する長いネジ棒を先端部に有し、その後は円柱状をなす後部ホーンと、螺合された前後部ホーンの径の中心部が先端からフランジの位置まで貫通された冷却水通路と、前記前後部のホーンが螺合する際に生ずる所定間隔内に挟着されたリング状の振動子と、また、前記振動子を含むホーンの節となる箇所に設けられたホーン中央部近辺に突設された前後２枚のフランジと、該フランジ間の空隙には冷却水が満たされると共に、空隙の周縁部の一隅には外部から導入される冷却水チューブの嵌合部が設けられてなり、さらに、前記２枚のフランジはその端縁部がリング状の固定具により固定され、また、前記フランジ間には前記振動子及びフランジの半径方向に貫通孔が配設され、前記冷却水通路に接続されてなり、そして、前記振動子及びホーンと、冷却水通路部を覆いかつ、ハンドピースの把持部である先細で後端部に外部接続用コネクタ部を有した円筒状をなすケースを備え、また、前記２枚のフランジの端縁部を固定するリング状の固定具の外周部は、前記ケースの中央部の内周に嵌着され、さらに、前記コネクタ部は、チューブを介し外部からの冷却水の導入管及び振動子への電源供給用の２本の配線を接続するための一対のコネクタを有し、前記配線はケースの凹設溝を通して、振動子に接続されてなることを特徴とする前項（１）に記載の歯科用超音波ハンドピース。
【０００７】
（４）チップと、該チップとの螺合部を先端部に有し順次太径となってその後部は円柱部をなし、該円柱の後端面に螺合用の長いネジ棒を有する前部ホーンと、
前記ネジ孔に螺合する浅いネジ孔を有し、その後ろは円柱状をなす後部ホーンと、
螺合された前後部ホーンの径の中心部が先端からフランジの位置まで貫通された冷却水通路と、前記前後部のホーンが螺合する際に生ずる所定間隔内に挟着されたリング状の振動子と、また、前記振動子を含むホーンの節となる箇所に設けられ、ドーナツ状の円盤の外周部が左右対称の扇形に残るように切り込みが入ったフランジを備え、該フランジの扇形の外周部の上面はケースの内側に直接固設され、また、前記扇形のフランジの表裏両面に外側冷却水管を密着するようにしてなり、前記外側冷却水管の配設は、まず片側の扇形フランジ表側の真ん中の曲線に沿って形成し、扇の直線端において反対面に折り曲げて、同様に扇形フランジ裏側の真ん中の曲線に沿って形成し、一方の端面を軸の内側に径の中心方向に折り曲げて、前記貫通されている冷却水通路に接続するようにしてなり、また、前記冷却水管の他の端面は軸方向と平行に後部側に折り曲げて、外部からの冷却水チューブに接続するように配設し、そして対称形をなす他の片側の扇形フランジにも、上記と同様に外部冷却水管を貫通する冷却水通路への接続、及び他の外部からの冷却水チューブに接続するよう配設してなり、また、前記振動子及びホーンと冷却水通路部を覆い、かつハンドピースの把持部である先細で後端部に外部接続用コネクタ部を有した円筒状をなすケースを備えてなり、そして、前記固定具の外周は、前記ケースの中央部の内周に嵌着され、さらに、前記２本の外部からの冷却水チューブより導入される冷却水は、前記フランジを冷却した後、振動子及びホーンを冷却して、最後にチップに霧水を供給し、また、前記コネクタ部はチューブを介し外部からの冷却水の導入管及び振動子への電源供給用の２本の配線を接続するための一対のコネクタを有し、前記配線はケースの凹設溝を通して、振動子に接続されてなることを特徴とする前項（１）に記載の歯科用超音波ハンドピース。
【０００８】
（５）チップと、該チップとの螺合部を先端部に有し順次太径となってその後部は円柱部をなし、該円柱の後端面に螺合用の長いネジ棒を有する前部ホーンと、
前記ネジ孔に螺合する浅いネジ穴を先端部に有し、その後ろは円柱状をなす後部ホーンと、螺合された前後部ホーンの径の中心部が先端から前記節の位置まで貫通された冷却水通路と、前記前後部のホーンが螺合する際に生ずる所定間隔内に挟着されたリング状の振動子と、また、前記振動子を含むホーンの節となる箇所に位置するホーンの外周に密着しかつ、一巻きする形状に設けられた外側冷却水管が配設され、上記形状の冷却水管の一方の端面は、軸の内側に径の中心方向に折り曲げて、前記貫通されている冷却水通路に接続され、また、前記冷却水管の他の端面は軸方向と平行に後部側に折り曲げて、外部からの冷却水チューブに接続するように配設してなり、また、前記振動子及びホーンと冷却水通路部を覆いかつ、ハンドピースの把持部である先細で後端部に外部接続用コネクタ部を有した円筒状をなすケースを備え、そして、前記外側冷却水管の外周は、前記ケースの中央部の内周に嵌着されてなり、前記ホーンの節は外側冷却水管により的確に固定、及びさらに、前記外部からの冷却水チューブより導入される冷却水は、前記振動子及びホーンを冷却して、最後にチップに霧水を供給し、また、前記コネクタ部はチューブを介し外部からの冷却水の導入管及び、振動子への電源供給用の２本の配線を接続するための一対のコネクタを有し、前記配線はケースの凹設溝を通して、振動子に接続されてなることを特徴とする前記（１）に記載の歯科用超音波ハンドピース。
【発明の効果】
【０００９】
本発明によれば次のような優れた効果が発揮される。
１、本発明の請求項１の発明によれば、
チップと超音波振動子及びホーンと、その周辺に配分して設けられた冷却水通路とからなり、振動子を含むホーンの長さを、フランジが節となり、両端が腹となるように決定して、超音波振動の節の当該点を、的確にピンポイントで固定しているため、振動がハンドピースの容器に伝わらず、ケースを把持する手指に生ずる熱感を軽減することができる。
また、振動子及びホーンとフランジを貫通する冷却水を配分して、振動子及びホーンと、フランジと、チップを効率よく冷却する手段を備え、冷却水貫通路のみならず周辺に配設されたホーンとやフランジ及び固定具等を冷却するためその効果は大きく、前記的確な節の固定との相乗効果をもたらすことができる。
【００１０】
２、請求項２の発明によれば、
チップと、該チップとの螺合部を先端部に有し順次太径となってその後部は円柱部をなし、その後端面に螺合用の浅いネジ孔を有する前部ホーンと、
前記ネジ孔に螺合する長いネジ棒を先端部に有し、その後は円柱状をなす後部ホーンと、前記、螺合された前後部ホーンの径の中心部を前後に貫通する冷却水通路と、ネジ部で前後部のホーンが螺合する際に生ずる所定間隔内に挟着されたリング状の振動子及び幅が狭小なリング状のフランジを備え、
該フランジは、リングの内径の部分が振動子及びホーンの超音波振動の節の当該点を的確に固定するように配設され、フランジのリングの外周部の上部は、後部ホーンの外周が所用空隙を有するように覆設された有底円筒状固定具の開放端に固設され、
さらに、固定具の所要空隙は、冷却水通路の冷却水貯留部に開放されて一体となり、その後端の冷却水チューブ嵌合部を介して外部冷却水導入チューブに接続され、また、振動子及びホーンと冷却水通路部を覆いかつ、ハンドピースの把持部である先細で後端部に外部接続用コネクタ部を有した円筒状をなすケースを備え、
前記固定具の外周は、ケースの中央部の内周に周設され、コネクタ部は、チューブを介し外部からの冷却水の導入及び振動子への電源供給用の２本の配線を接続するための一対のコネクタを有し、さらに、配線はケースの凹設溝を通して、振動子に接続されてなるため、
超音波振動の節の当該点がフランジにより的確にピンポイントで固定され、振動がハンドピースの容器に伝わらず、ケースを把持する手指に生ずる熱感を軽減できる。
また、振動子及びホーンとフランジ部を貫通する冷却水と、固定具内部の冷却水貯留部により後部ホーンの周囲を冷却できるため、ホーンと、フランジと、チップを効率よく冷却することができる。
【００１１】
３、請求項３の発明によれば、
チップと、該チップとの螺合部を先端部に有し順次太径となってその後部は円柱部をなし、その後端面に螺合用の浅いネジ孔を有するホーンと、該ネジ孔に螺合する長いネジ棒を先端部に有し、その後は円柱状をなす後部ホーンと、螺合された前後部ホーンの径の中心部が先端からフランジの位置まで貫通された冷却水通路と、前後部のホーンが螺合する際に生ずる所定間隔内に挟着されたリング状の振動子と、また、振動子及びホーンの節となる箇所に設けられた前後２枚のフランジと、該フランジ間の空隙には冷却水が満たされると共に、空隙の周縁部の一隅には外部から導入される冷却水チューブの嵌合部が設けられてなり、
さらに、前記２枚のフランジはその端縁部がリング状の固定具により固定され、また、前記フランジ間には振動子及びフランジの半径方向に貫通孔が配設され、冷却水通路に接続されてなり、
そして、振動子及びホーンと、冷却水通路部を覆い、かつハンドピースの把持部である先細で後端部に外部接続用コネクタ部を有した円筒状をなすケースを備え、
また、前記２枚のフランジの端縁部を固定するリング状の固定具の外周部は、ケースの中央部の内周に嵌着され、さらに、コネクタ部は、チューブを介し外部からの冷却水の導入管及び振動子への電源供給用の２本の配線を接続するための一対のコネクタを有し、そして、配線はケースの凹設溝を通して、振動子に接続されてなるため、超音波振動の節の当該点がフランジにより、的確にピンポイントで固定され、振動がハンドピースの容器に伝わらず、ケースを把持する手指に生ずる熱感を軽減できる。
また、前部ホーンからフランジに至る冷却水通路と前後２枚のフランジ部を貫通する冷却水通路により、振動子とフランジと、フランジに接するホーンの周囲を冷却できるため、ホーンと、フランジと、チップを効率よく冷却することができる。
【００１２】
４、請求項４の発明によれば、
チップと、該チップとの螺合部を先端部に有し順次太径となってその後部は円柱部をなし、その後端面に螺合用の長いネジ棒を有する前部ホーンと、
ネジ孔に螺合する浅いネジ穴を先端部に有しその後ろは円柱状をなす後部ホーンと、螺合された前後部ホーンの径の中心部が先端からフランジの位置まで貫通された冷却水通路と、前後部のホーンが螺合する際に生ずる所定間隔内に挟着されたリング状の振動子と、また、振動子及びホーンの節となる箇所に設けられたドーナツ状の円盤の外周部が左右対称の扇形に残るように切り込みが入ったフランジを備え、
該扇形のフランジの外周部の上面は、固定具の下に固設されてなり、
前記扇形のフランジの表裏両面に外側冷却水管を密着するように配設し、前記外側冷却水管の配設は、まず片側の扇形フランジ表側の真ん中の曲線に沿って形成し、扇の直線端において反対面に折り曲げて、同様に扇形フランジ裏側の真ん中の曲線に沿って形成し、一方の端面を軸の内側に径の中心方向に折り曲げて、前記貫通されている冷却水通路に接続するように配設し、また、前記冷却水管の他の端面は軸方向と平行に後部側に折り曲げて、外部からの冷却水チューブに接続するように配設し、そして対称形の他の片側の扇形フランジにも、同様に外部冷却水管を貫通する冷却水通路への接続及び他の外部からの冷却水チューブに接続するよう配設してなり、
また、振動子及びホーンと、冷却水通路部を覆い、かつハンドピースの把持部である先細で後端部に外部接続用コネクタ部を有した円筒状をなすケースを備え、前記２本の外部からの冷却水チューブより導入される冷却水は、フランジを冷却した後、振動子及びホーンを冷却して、最後にチップに霧水を供給し、また、コネクタ部はチューブを介し外部からの冷却水の導入管及び振動子への電源供給用の２本の配線を接続するための一対のコネクタを有し、配線はケースの凹設溝を通して、振動子に接続されてなるため、超音波振動の節の当該点がフランジにより的確にピンポイントで固定され、振動がハンドピースの容器に伝わらず、ケースを把持する手指に生ずる熱感を軽減できる。
また、前部ホーンからフランジに至る冷却水通路と、扇形のフランジの表裏に密着する２本の外側の冷却水管により、フランジと、フランジに接するホーンを効率よく冷却することができる。
【００１３】
５、請求項５の発明によれば、
チップと、該チップとの螺合部を先端部に有し順次太径となってその後部は円柱部をなし、該円柱の後端面に螺合用の長いネジ棒を有する前部ホーンと、
前記ネジ孔に螺合する浅いネジ穴を先端部に有し、その後ろは円柱状をなす後部ホーンと、螺合された前後部ホーンの径の中心部が先端から前記節の位置まで貫通された冷却水通路と、前記前後部のホーンが螺合する際に生ずる所定間隔内に挟着されたリング状の振動子と、
また、前記振動子を含むホーンの節となる箇所に位置するホーンの外周に密着しかつ、一巻きする形状に設けられた外側冷却水管が配設され、
上記形状の冷却水管の一方の端面は、軸の内側に径の中心方向に折り曲げて、前記貫通されている冷却水通路に接続され、
また、前記冷却水管の他の端面は軸方向と平行に後部側に折り曲げて、外部からの冷却水チューブに接続するように配設してなり、
また、前記振動子及びホーンと冷却水通路部を覆い、かつハンドピースの把持部である先細で後端部に外部接続用コネクタ部を有した円筒状をなすケースを備え、そして、前記外側冷却水管の外周は、前記ケースの中央部の内周に嵌着されてなり、前記ホーンの節は外側冷却水管により的確に固定され、
さらに、前記外部からの冷却水チューブより導入される冷却水は、前記振動子及びホーンを冷却して、最後にチップに霧水を供給し、
また、前記コネクタ部はチューブを介し外部からの冷却水の導入管及び振動子への電源供給用の２本の配線を接続するための一対のコネクタを有し、
前記配線はケースの凹設溝を通して、振動子に接続されてなるため、超音波振動の節の当該点が外側冷却水管により、的確にピンポイントで固定され、振動がハンドピースの容器に伝わらず、ケースを把持する手指に生ずる熱感を軽減できる。
また、前部ホーンから節に至る冷却水通路と、ホーンの節の外周に密着する外側の冷却水管により、振動子とホーンの周囲並びにチップを効率よく冷却することができる。
【発明を実施するための最良の形態】
【００１４】
以下、図面に基づき本発明の実施の形態を説明する。
図１は、本発明の歯科用超音波ハンドピ−スの外観斜視図である。
図において、１は超音波ハンドピース、２はケース、３はキャップ、４はコネクタケース、５はチップ、６はチューブを示す。
外観及び大きさは、従来の超音波ハンドピース（スケーラ）と同様である。
【００１５】
図１２は、従来の歯科用超音波ハンドピースの説明図で、
（イ）図は部品組図、（ロ）図は縦断面図である。
なお、事例においてはハンドピースは、スケーラとして説明する。
（ロ）図において、コネクタケース４、チュ−ブ６は図示しない。
図において、７はチップ螺合部、９は前部ホーン、１０は後部ホーン、１１はホーン螺合部、１２は振動子、１４は冷却水通路、１６は絶縁リング、１７は冷却水チューブ、１８は冷却水チューブ接ぎ手、２１はコネクタ部、２２は抑えゴムリング、２３は振動子カバー、２４はコネクタ、２５は外部チューブの接ぎ手を示す。
上記（ロ）図に示したように、従来の歯科用超音波スケーラは、ホーン螺合部１１により接続され、一体となった前部ホーン９と後部ホーン１０は、そのほぼ中央部の間隙凹部にリング状の振動子１２を、絶縁リング１６を介して嵌合しており、
また、前記ホーン（前部ホーン９と後部ホーン１０）の径の中心部には、冷却水通路１４が軸方向に前後に貫通され、後部から、外部のチューブ６（図示せず）と冷却水チューブ１７と冷却水チューブ接ぎ手１８を介して前記ホーン及び振動子１２を冷却している。
しかし上記は、冷却水は貫通された冷却水通路１４のみを流れるため、その冷却効率は限定されよくなかった。
【００１６】
また、振動子１２の周囲に押さえゴムリング２２を嵌着し、前記振動子１２及びホーン（前部ホーン９と後部ホーン）の節の近辺を圧着しており、そして、該押さえゴムリング２２の外周にケース２を嵌装している。
しかし上記は、押さえゴムリング２２の幅が広くかつ、素材は弾性を有するゴムであるため、前記節の位置を的確に押さえることができず、従って、振動の漏洩がケース２に伝わり、さらにそれを把持する手指に振動が伝わり熱感を生じていた。
加えて、冷却水チューブ１７が直接後部ホーン１０の後端部に接続されているため、振動の増幅度が制限され効率がよくなかった。
【００１７】
図２は、本発明の歯科用超音波ハンドピースその１の縦断面図である。
ただし、コネクタ部は破断外観図を示す。
図３は図２のフランジ部分の拡大図で、
（イ）は図２の縦断面図、（ロ）は図２の配線及び配線孔以外の断面図である。
図において、８はケースとキャップの螺合部、１３はフランジ、１５は冷却水貯留部、１９はケースとコネクタの螺合部、２０は固定具、２６は振動子用配線を示す。
チップ５（図１）と、超音波振動子１２及びホーン（前部ホーン９と後部ホーン１０）と、振動子１２及び前記ホーンの周辺に冷却水通路１４を配設してなり、振動子１２及びホーンの長さをフランジ１３が節となり、両端が腹となるように決定して歯科用ハンドピースの容器内（ケース２とキャップ３）に収納し、
歯科治療用として最適なように前記フランジ１３にて振動子１２及びホーンの節を的確に固定にさせる手段と、振動子１２及びホーンとフランジ１３を貫通する冷却水を配分して、振動子１２及びホーンと、フランジ１３ととチップ５を効率よく冷却する手段を備えてなる。
以下に詳細を記述する。
【００１８】
チップ５（図１）と、該チップ５とのチップ螺合部７を先端部に有し順次太径となってその後部は円柱部をなし、該円柱の後端面に螺合用の浅いネジ孔を有する前部ホーン９と、前記ネジ孔に螺合する長いネジ棒を先端部に有し、その後は円柱状をなす後部ホーン１０と、前記、螺合された前部ホーン９及び後部ホーン１０の径の中心部を前後に貫通する冷却水通路１４と、
また、ネジ部で前後部のホーン（９，１０）が螺合する際に生ずる所定間隔内に挟着され、後部ホーン１０の前方の外周に絶縁リング１６を介して、リング状の振動子１２が配設され、また、幅が狭小なリング状のフランジ１３を備えている。
前記フランジ１３は、リングの内径の部分が振動子１２及び前記ホーンの超音波振動の節の当該点を的確にピンポイントで固定するように配設されている。
そして、フランジ１３のリングの外周部の上部は、前記後部ホーン１０の外周が所用空隙を有するように覆設された有底円筒状の固定具２０の開放端に固設されている（図３の（ロ）図）。
【００１９】
さらに、前記有底円筒状の固定具２０の所要空隙は、前記冷却水通路１４の冷却水貯留部１５に開放されて一体となり、その後端の冷却水チューブ接ぎ手１８を介して外部冷却水導入用の冷却水チューブ１７に接続される。
また、前記振動子１２及びホーンと冷却水通路１４及び冷却水貯留部１５を覆い、かつハンドピースの把持部である先細で後端部に外部接続用コネクタ部２１を有した円筒状をなすケース２及びキャップ３を備えてなり、
そして、前記固定具２０の外周は、前記ケース２の中央部の内周に嵌着され、
前記コネクタ部２１は、チューブ６を介し外部からの冷却水の導入部及び、
振動子１２への電源供給用の２本の振動子用の配線２６を接続するための一対のコネクタ（図示せず）を有している。
さらに、配線２６は、ケースの凹設溝を通して、振動子１２に接続されている（図３の（イ）図）。
【００２０】
前述したように冷却水は、冷却水通路１４を通るのみならず、冷却水貯留部１５によって配分され、固定されたフランジ１３部分以外はフリーである後部ホーン１０の外周と、フランジ１３の上辺及び、固定具２０の内周を冷却するためその効果は大である。
なお、最後にチップ螺合部７から射出される冷却水は、チップ５内の放出孔を通って刃先から霧水となって歯石を粉砕し、外部に放出される。
【００２１】
図４は、本発明の歯科用超音波ハンドピースその２の縦断面図である。
ただし、コネクタ部は破断外観図を示す。
図５は図４のフランジ部分の拡大図で、（イ）は図４の縦断面図、（ロ）は図４の配線及び配線溝以外の断面図である。
チップ５と、該チップ５との螺合部７を先端部に有し順次太径となってその後部は円柱部をなし、該円柱の後端面に螺合用の浅いネジ孔を有する前部ホーン９と、前記ネジ孔に螺合する長いネジ棒を先端部に有し、その後は円柱状をなす後部ホーン１０と、前記、螺合されたホーン（前部ホーン９及び後部ホーン１０）の径の中心部が、先端からフランジ１３の位置まで貫通された冷却水通路１４と前記前後部のホーン（９，１０）が螺合する際に生ずる所定間隔内に挟着され、後部ホーン１０の前方の外周に絶縁リング１６を介して、リング状の振動子１２が配設され、
また、前記フランジ１３は、振動子１２及びホーンの節となる当該点を的確にピンポイントで固定するように配設されている。
【００２２】
そして、前記２枚のフランジ１３間の空隙には冷却水が満たされ、冷却水貯留部１５となると共に、空隙の周縁部の一隅には外部から導入される冷却水チューブの接ぎ手１８が設けられている（図５の（イ）図）。
さらに、前記２枚のフランジ１３は、その端縁部がリング状の固定具２０により固定され、また前記前後２枚のフランジ１３の間には、フランジの半径方向に冷却水貯留部１５が貫通され、前記冷却水通路１４に接続されている（図５の（ロ）図）。
そして、前記振動子１２及びホーンと、冷却水通路１４と冷却水貯留部１５を覆い、かつハンドピースの把持部である先細で後端部に外部接続用コネクタ部２１を有した円筒状をなすケース２を備えている。
また、前記２枚のフランジ１３の端縁部を固定するリング状の固定具２０の外周部は、前記ケース２の中央部の内周に嵌着され、
さらに、前記コネクタ部２１は、チューブ６を介し、外部からの冷却水の導入管及び振動子１２への電源供給用の２本の配線２６を接続するための一対のコネクタを有し、そして、配線２６はケース２の凹設溝を通して、振動子１２に接続されている（図５の（イ）図）。
前述したように冷却水は冷却水通路１４を通るのみならず２枚のフランジ１３の間を冷却するため、冷却効果は大きい。
【００２３】
図６は、本発明の歯科用超音波ハンドピースその３の縦断面図である。
ただし、コネクタ部は破断外観図を示す。
図７は、歯科用超音波ハンドピースその３のフランジ及び冷却水配管の外観斜視図である。
ただし、冷却水通路との接続部を破断図で示す。
図において、２７，２７’は外側の冷却水管を示す。
図８は、図７のフランジ及び外側の冷却水管の外観斜視図及び組図で、（イ）は外側の冷却水管図、（ロ）はフランジ図、（ハ）は（イ）（ロ）の組図を示す。
【００２４】
チップ５と、該チップ５との螺合部７を先端部に有し、順次太径となってその後部は円柱部をなし、該円柱の後端面に螺合用の長いネジ棒を有する前部ホーン９と、前記ネジ孔に螺合する浅いネジ穴を先端部に有し、その後ろは円柱状をなす後部ホーン１０と、螺合された前後部ホーン（９，１０）の径の中心部が先端からフランジ１３の位置まで貫通された冷却水通路１４と、また、ネジ部で前後部のホーン（９，１０）が螺合する際に生ずる所定間隔内に挟着され、後部ホーン１０の中央の外周に絶縁リング１６を介して、リング状の振動子１２が配設されている。
また、前記振動１２及びホーンの節となる前方のホーン９の当該点を、的確にピンポイントで固定するようにフランジ１３が配設されている。
そして、前記フランジ１３は、ドーナツ状の円盤の外周部が左右対称の扇形に残るように切り込みが入った形状をしたものである（図８の（ロ）図）。
【００２５】
前記フランジ１３の扇形の外周部の上面はケース２の内側に固設されている。また、前記左右対称扇形のフランジ１３の表裏両面には、外側の冷却水管２７及び２７’が密着するように配設されている。
前記外側の冷却水管２７，２７’の配設は、まず片側の扇形フランジ１３表側の真ん中の曲線に沿って形成し、扇の直線端において、反対面に折り曲げて、同様に扇形フランジ裏側の真ん中の曲線に沿って形成し、一方の端面を軸の内側に径の中心方向に折り曲げて（図８の（イ）図）、前記貫通されている冷却水通路１４に接続するように配設してなり、
また、前記外側の冷却水管２７の他の端面は軸方向と平行に後部側に折り曲げて、
外部からの冷却水チューブに接続するように配設し、
そして対称形をなす他の片側の扇形フランジ１３にも、上記と同様（図８の（イ）図）に、外側の冷却水管２７’を前記貫通する冷却水通路１４への接続及び、
他の外部からの冷却水チューブ１７に接続するよう配設してなる（図８の（ハ）図、図６）。
【００２６】
また、前記振動子１２及びホーン（９，１０）と、フランジ１３と、冷却水通路１４部を覆いかつ、ハンドピース１の把持部である先細で後端部に外部接続用のコネクタ部２１を有した円筒状をなすケース２を備え、そして、前記固定具２０の外周は、前記ケース２の中央部の内周に周設されている。
そして、前記２本の外部からの冷却水チューブ１７より導入される冷却水は、前記フランジ１３を冷却した後、振動子１２及びホーンを冷却して、最後にチップ５に霧水を供給する。
また、前記コネクタ部２１はチューブ６を介し外部からの冷却水の導入管及び、振動子１２への電源供給用の２本の配線２６を接続するための一対のコネクタを有し、そして、配線２６はケースの凹設溝を通して、振動子に接続される。
【００２７】
前述したように冷却水は、冷却水通路１４を通るのみならず、左右対称の扇形をしたフランジ１３の表裏を外側の冷却水管２７，２７’を密着させて冷却するため、その効果は大である。
なお、最後にチップ螺合部７から射出される冷却水は、チップ５の放出孔を通って刃先から霧水となって歯石を粉砕し、外部に放出される。
【００２８】
図９は、本発明の歯科用超音波ハンドピースその４の縦断面図である。
ただし、コネクタ部は破断外観図を示す。
図１０は、歯科用超音波ハンドピースその４の冷却水配管の外観斜視図である。
ただし、冷却水通路との接続部を破断図で示す。
図１１は、図１０の外側の冷却水管の外観斜視図である。
チップ５と、該チップ５との螺合部７を先端部に有し順次太径となってその後部は円柱部をなし、該円柱の後端面に螺合用の長いネジ棒を有する前部ホーンと、
前記ネジ孔に螺合する浅いネジ穴を先端部に有し、その後ろは円柱状をなす後部ホーン１０と、螺合された前後部ホーン（９，１０）の径の中心部が先端から前記節の位置まで貫通された冷却水通路１４を有し、前記前後部のホーン（９，１０）が螺合する際に生ずる所定間隔内に挟着されたリング状の振動子１２が配設されている。
また、前記振動子１２を含むホーンの節となる箇所に位置するホーンの外周に密着しかつ、一巻きする形状に設けられた外側冷却水管２７が配設されている。
上記形状の冷却水管２７の一方の端面は、軸の内側に径の中心方向に折り曲げて、前記貫通されている冷却水通路１４に接続され、
また、前記冷却水管２７の他の端面は軸方向と平行に後部側に折り曲げて、外部からの冷却水チューブに接続するように配設されている。
【００２９】
また、前記振動子１２及び前後ホーン（９，１０）と冷却水通路部を覆いかつ、超音波ハンドピース１の把持部である先細で後端部に外部接続用コネクタ部２１を有した円筒状をなすケース２を備え、そして、前記外側冷却水管２７の外周は、前記ケース２の中央部の内周に嵌着されてなるため、前記ホーンの節は外側冷却水管２７により的確に固定される。
また、上記外側冷却水管２７の材質は、例えばシリコンゴム等であり、その弾力性により漏洩した振動を吸収することも可能である。
さらに、前記外部からの冷却水チューブより導入される冷却水は、前記振動子１２及び前後ホーン（９，１０）を冷却して、最後にチップ５に霧水を供給し、また、前記コネクタ部２１はチューブ６を介し外部からの冷却水の導入管及び振動子への電源供給用の２本の配線２６を接続するための一対のコネクタを有し、前記配線２６はケース２の凹設溝を通して、振動子１２に接続されてなるため、超音波振動の節の当該点が外側冷却水管２７により、的確にピンポイントで固定され、振動がハンドピース１のケース２に伝わらず、ケース２把持する手指に生ずる熱感を軽減できる。
また、前部ホーン９から節に至る冷却水通路１４と、ホーンの節の外周に密着する外側の冷却水管２７により、振動子１２とホーンの周囲並びにチップ５を効率よく冷却することができる。
【図面の簡単な説明】
【００３０】
【図１】本発明の歯科用超音波ハンドピースの外観斜視図
【図２】本発明の歯科用超音波ハンドピースその１の縦断面図
【図３】図２のフランジ部分の拡大図
【図４】本発明の歯科用超音波ハンドピースその２の縦断面図
【図５】図４のフランジ部分の拡大図
【図６】本発明の歯科用超音波ハンドピースその３の縦断面図
【図７】歯科用超音波ハンドピースその３のフランジ及び冷却水配管の外観斜視図
【図８】図７のフランジ及び外側の冷却水管の外観斜視図及び組図
【図９】本発明の歯科用超音波ハンドピースその４の縦断面図
【図１０】歯科用超音波ハンドピースその４の冷却水配管の外観斜視図
【図１１】図１０の外側の冷却水管の外観斜視図
【図１２】従来の歯科用超音波ハンドピースの説明図
【符号の説明】
【００３１】
１：超音波ハンドピース              ２：ケース
３：キャップ                        ４：コネクタケース
５：チップ                          ６：チューブ
７：チップ螺合部                    ８：ケースとキャップの螺合部
９：前部ホーン                      １０：後部ホーン
１１：ホーン螺合部                  １２：振動子
１３：フランジ                      １４：冷却水通路
１５：冷却水貯留部                  １６：絶縁リング
１７：冷却水チューブ                １８：冷却水チューブ接ぎ手
１９：ケースとコネクタの螺合部      ２０：固定具
２１：コネクタ部                    ２２：抑えゴムリング
２３：振動子カバー                  ２４：コネクタ
２５：外部チューブの接ぎ手          ２６：配線
２７，２７’：外側の冷却水管
【図１】
2005095243.tif 000003
【図２】
2005095243.tif 000004
【図３】
2005095243.tif 000005
【図４】
2005095243.tif 000006
【図５】
2005095243.tif 000007
【図６】
2005095243.tif 000008
【図７】
2005095243.tif 000009
【図８】
2005095243.tif 000010
【図９】
2005095243.tif 000011
【図１０】
2005095243.tif 000012
【図１１】
2005095243.tif 000013
【図１２】
2005095243.tif 000014